(57)【要約】【解決手段】上部デッキ部材Ｐａと、下部デッキ部材Ｐｂと、前記上部デッキ部材と下部デッキ部材とを連結する連結部材Ｃとにより組み立てられたパレットにおいて、前記上部デッキ部材と下部デッキ部材の桁嵌合部５、６、７に、該桁嵌合部の外周壁５ａ、６ａ、７ａを構成する相対する側壁を連結する補強リブ８、９を形成したものである。【効果】上部デッキ部材と下部デッキ部材の桁嵌合部に、該桁嵌合部の外周壁を構成する相対する側壁を連結する補強リブを形成したので、嵌合部の強度や剛性を高めることができ、ひいては、組み立てられたパレット、特に、パレットの桁部の強度や剛性を高めることできる。【選択図】図１３
2004331197.tif 000002
【特許請求の範囲】
【請求項１】
上部デッキ部材と、下部デッキ部材と、前記上部デッキ部材と下部デッキ部材とを連結する連結桁部材とにより組み立てられたパレットにおいて、前記上部デッキ部材と下部デッキ部材の桁嵌合部には、該桁嵌合部の外周壁を構成する相対する側壁を連結する補強リブが形成されていることを特徴とするパレット。
【発明の詳細な説明】
【０００１】
【発明の属する技術分野】
本発明は、荷物の運搬や保管等のために使用されるパレットに関するものである。
【０００２】
【従来の技術】
従来、それぞれ一体成形された上部デッキ部材と下部デッキ部材とを、同じく一体成形された桁部材により連結することにより、組み立てられたパレットが知られている（例えば、特表２００２−５１６７９２号公報、特許第２５１８７１１号公報等）。
【０００３】
また、本出願人は、先の出願（特願２００２−７７７９８）において、上部デッキ部材と、下部デッキ部材と、前記上部デッキ部材と下部デッキ部材とを連結する連結部材とにより組み立てられたパレットを提案した。
【０００４】
【発明が解決しようとする課題】
上述した従来のパレットにおいては、上下部デッキ部材と桁部材の連結が、桁部材に形成された係止突起を、上下部デッキ部材に形成されたリブやフランジに引っ掛けるようにしただけであるので、上下部デッキ部材と桁部材の連結強度が十分ではなく、組み立てられたパレットに、落下等により衝撃が加わった際に、分解し易いという問題があった。
【０００５】
また、上下部デッキ部材の桁部材との連結部分の強度や剛性が弱いために、上下部デッキ部材の桁部材とにより組み立てられたパレットが撓んだり、分解し易いという問題があった。
【０００６】
本発明の目的は、上述した従来のパレットが有する課題を解決することにある。
【０００７】
【課題を解決するための手段】
本発明は、上述した目的を達成するために、上部デッキ部材と、下部デッキ部材と、前記上部デッキ部材と下部デッキ部材とを連結する連結桁部材とにより組み立てられたパレットにおいて、前記上部デッキ部材と下部デッキ部材の桁嵌合部に、該桁嵌合部の外周壁を構成する相対する側壁を連結する補強リブを形成したものである。
【０００８】
【実施例】
以下に、本発明の実施例について説明するが、本発明の趣旨を越えない限り何ら、本実施例に限定されるものではない。
【０００９】
図１に示されているように、本発明のパレットは、上部デッキ部材Ｐａと下部デッキ部材Ｐｂと複数の連結桁部材Ｃとから構成されており、上部デッキ部材Ｐａと下部デッキ部材Ｐｂとを、連結桁部材Ｃにより連結することによりパレットが組み立てられるように構成されている。
【００１０】
図１や図２に示されているように、上部デッキ部材Ｐａは、平面形状が、略方形状の上部デッキボード１を有しており、上部デッキボード１は、後述する桁嵌合部が配設されている以外の部分は、縦横に走る交差リブ１ａ、１ｂにより構成されている。勿論、上部デッキボード１を、板材と、板材の裏面に垂設された交差リブとから構成することもできる。
【００１１】
図１や図３に示されているように、下部デッキ部材Ｐｂは、額縁状に配置された４つのの周辺桟部２と、相対する周辺桟部２の中央部を連結する連結桟部３とを有しており、周辺桟部２と連結桟部３とにより囲まれた領域４は、開口として形成されている。なお、下部デッキ部材Ｐｂを、上述した上部デッキ部材Ｐａと同一構造に構成することもできる。
【００１２】
上部デッキ部材Ｐａと下部デッキ部材Ｐｂの４つの隅部には、それぞれ、角筒状の隅桁嵌合部５が形成されており、上部デッキ部材Ｐａと下部デッキ部材Ｐｂの隅桁嵌合部５の間には、それぞれ、角筒状の中間桁嵌合部６が形成されており、更に、上部デッキ部材Ｐａと下部デッキ部材Ｐｂの中央部には、それぞれ、角筒状の中央桁嵌合部７が形成されている。
【００１３】
次に、上部デッキ部材Ｐａ及び下部デッキ部材Ｐｂに形成された隅桁嵌合部５、中間桁嵌合部６及び中央桁嵌合部７について説明するが、これら隅桁嵌合部５、中間桁嵌合部６及び中央桁嵌合部７の基本的な構成は同じであるので、図４及び図５を用いて、下部デッキ部材Ｐｂに形成された隅桁嵌合部５の構成について説明する。
【００１４】
隅桁嵌合部５は、略角筒状の外周壁５ａを有しており、外周壁５ａの一方の相対する側壁５ａ１の略中間領域には、一方の相対する側壁５ａ１に沿って、所定の間隔を置いて複数の保持部材Ｈ１が配設されている。保持部材Ｈ１は、所定の間隙を置いて配置された一対の垂直板材ｈ１から構成されており、一対の垂直板材ｈ１間に形成されている間隙が、一直線状に並ぶように配置されている。本実施例には、一例として、３個の保持部材Ｈ１が配設されている例が示されている。なお、ｈ２は、一対の垂直板材ｈ１の相対する側面に対して反対側の側面に形成された三角形状の補強リブである。
【００１５】
また、外周壁５ａの内壁に沿って、且つ、外周壁５ａから所定の間隙を置いて、周辺板部材Ｈ２が、適当数、配設されている。ｈ３は、外周壁５ａの内壁に対して反対側に位置する、周辺板部材Ｈ２の側面に、適宜、形成された、上述した補強リブｈ２と同様の三角形状の補強リブである。
【００１６】
Ｇは、図６に示されているように、所定の間隔を置いて配置された一対の垂直板材ｇ１と、垂直板材ｇ１の先端部から、互いに対向するとともに互いに接近する方向に延在する係止爪ｇ２とからなる係止雌部材であり、一対の係止爪ｇ２の先端間には、所定の間隙が形成されている。また、一対の垂直板材ｇ１の先端部の対向する側面は、下方から上方に行くに従って、外側に傾斜した傾斜面ｇ３として形成されており、係止雌部材Ｇの上部には、楔状空間部ｇ４が形成されている。
【００１７】
本実施例には、直線状に３個配設された保持部材Ｈ１を挟んで位置する隅桁嵌合部５の２つの領域には、それぞれ、複数の係止雌部材Ｇが、隣り合う係止雌部材Ｇを構成する垂直板材ｇ１が、互いに平行になるように配設されており、且つ、垂直板材ｇ１が、外周壁５ａのもう一方の相対する側壁５ａ２と略平行になるように配置されている。なお、本実施例には、直線状に３個配設された保持部材Ｈ１を挟んで位置する隅桁嵌合部５の２つの領域には、それぞれ、３個の係止雌部材Ｇが配設されている例が示されており、従って、隅桁嵌合部５内には、合計６個の係止雌部材Ｇが配設されている例が示されている。また、直線状に３個配設された保持部材Ｈ１を挟んで位置する隅桁嵌合部５の２つの領域に、それぞれ配設された３個の係止雌部材Ｇは、等間隔に配設されておらず、中間に位置する係止雌部材（以下、中間係止雌部材と称し、符号Ｇｃを付す。）は、両側に位置する係止雌部材Ｇのうち、一方の係止雌部材Ｇに、より近づいて配置されている。以下、便宜的に、両側に位置する係止雌部材Ｇのうち、中間係止雌部材Ｇｃに、より近づいて配置された係止雌部材Ｇを、中間係止雌部材側の端部係止雌部材と称し、符号Ｇｅ１を付し、中間係止雌部材Ｇｃに、より遠い位置にある係止雌部材Ｇを、単に、端部係止雌部材と称し、符号Ｇｅ２を付す。
【００１８】
直線状に３個配設された保持部材Ｈ１を挟んで位置する隅桁嵌合部５の２つの領域にそれぞれ配設された、中間係止雌部材Ｇｃ、中間係止雌部材側の端部係止雌部材Ｇｅ１及び端部係止雌部材Ｇｅ２の配置は、平面的に見て、隅桁嵌合部５の中心点に対して、点対称になるように構成されている。また、隅桁嵌合部５には、外周壁５ａと所定の周辺板部材Ｈ２との間に延在するとともに、外周壁５ａの上端まで延在する位置決め挿入片Ｔ１が形成されている。
【００１９】
上述した保持部材Ｈ１、周辺板部材Ｈ２及び係止雌部材Ｇ（中間係止雌部材Ｇｃ、中間係止雌部材側の端部係止雌部材Ｇｅ１、端部係止雌部材Ｇｅ２）は、略同じ高さに形成されており、また、隅桁嵌合部５の外周壁５ａの高さと同じか、或いは、外周壁５ａより、低く形成されている。
【００２０】
８は、隅桁嵌合部５を構成する外周壁５ａの一方の相対する側壁５ａ１を連結する補強リブであり、もう一方の相対する側壁５ａ２に略平行に複数配設されている。本実施例には、係止雌部材Ｇ（中間係止雌部材Ｇｃ、中間係止雌部材側の端部係止雌部材Ｇｅ１、端部係止雌部材Ｇｅ２）を構成する一方の垂直板材ｇ１が、補強リブ８の一部を形成するように構成されている。即ち、補強リブ８が、側壁５ａ１と係止部材Ｇの一方の垂直板材ｇ１間に位置する部分（補強リブ８の両端部に位置する部分）８ａ、２個の係止部材Ｇを構成する垂直板材ｇ１及び２個の係止部材Ｇの垂直板材ｇ１間を連結する部分８ｂとにより構成されている。勿論、係止部材Ｇの垂直板材ｇ１を利用することなく、補強リブ８を、外周壁５ａの一方の相対する側壁５ａ１を直接連結する連結リブとして構成することもできる。本実施例には、３本の補強リブ８が配設されている例が示されているが、１本や２本配設することも、或いは、４本以上配設することもできる。
【００２１】
９は、隅桁嵌合部５を構成する外周壁５ａのもう一方の相対する側壁５ａ２を連結する補強リブであり、補強リブ９は、一方の相対する側壁５ａ１に略平行に配設されている。本実施例には、一本の補強リブ９が配設されているが、複数本の補強リブ９を配設することもできる。
【００２２】
上述したように、隅桁嵌合部５を構成する外周壁５ａの一方の相対する側壁５ａ１及びもう一方の相対する側壁５ａ２を連結する補強リブ８、９を配設したことにより、隅桁嵌合部５の強度及び剛性を高めることができる。なお、隅桁嵌合部５を構成する外周壁５ａの一方の相対する側壁５ａ１を連結する補強リブ８或いは隅桁嵌合部５を構成する外周壁５ａのもう一方の相対する側壁５ａ２を連結する補強リブ９のいずれか一方の補強リブ８、９を省略することもできる。
【００２３】
図７に示されているように、中間桁嵌合部６も、隅桁嵌合部５と同様に、略角筒状の外周壁５ａを有しており、外周壁６ａの一方の相対する側壁６ａ１の略中間領域には、一方の相対する側壁６ａ１に沿って、所定の間隔を置いて複数の保持部材Ｈ１が配設されており、また、外周壁６ａの内壁に沿って、且つ、外周壁６ａから所定の間隙を置いて、周辺板部材Ｈ２が、適当数、配設されている。また、直線状に３個配設された保持部材Ｈ１を挟んで位置する中間桁嵌合部６の２つの領域にも、それぞれ３個の係止雌部材Ｇ（中間係止雌部材Ｇｃ、中間係止雌部材側の端部係止雌部材Ｇｅ１、端部係止雌部材Ｇｅ２）が形成されている。更に、中間桁嵌合部６を構成する外周壁６ａの一方の相対する側壁６ａ１を連結する補強リブ８が、もう一方の相対する側壁６ａ２に略平行に配設されており、また、外周壁６ａのもう一方の相対する側壁６ａ２を連結する補強リブ９が、一方の相対する側壁６ａ１に略平行に配設されている。
【００２４】
図７に示されているように、中央桁嵌合部７も、隅桁嵌合部５と同様に、略角筒状の外周壁７ａを有しており、外周壁７ａの一方の相対する側壁７ａ１の略中間領域には、一方の相対する側壁７ａ１に沿って、所定の間隔を置いて複数の保持部材Ｈ１が配設されており、また、外周壁７ａの内壁に沿って、且つ、外周壁７ａから所定の間隙を置いて、周辺板部材Ｈ２が、適当数、配設されている。また、直線状に３個配設された保持部材Ｈ１を挟んで位置する中央桁嵌合部７の２つの領域にも、それぞれ３個の係止雌部材Ｇ（中間係止雌部材Ｇｃ、中間係止雌部材側の端部係止雌部材Ｇｅ１、端部係止雌部材Ｇｅ２）が形成されている。更に、中央桁嵌合部７を構成する外周壁７ａの一方の相対する側壁７ａ１を連結する補強リブ８が、もう一方の相対する側壁７ａ２に略平行に配設されており、また、外周壁７ａのもう一方の相対する側壁７ａ２を連結する補強リブ９が、一方の相対する側壁７ａ１に略平行に配設されている。なお、中央桁嵌合部７には、外周壁７ａと、所定の周辺板部材Ｈ２との間に延在するとともに、外周壁７ａの上端まで延在する位置決め挿入片Ｔ２が形成されている。
【００２５】
次に、上述した上部デッキ部材Ｐａと下部デッキ部材Ｐｂの隅桁嵌合部５同士を連結する隅部連結桁部材Ｃ１、上部デッキ部材Ｐａと下部デッキ部材Ｐｂの中間桁嵌合部６同士を連結する中間部連結桁部材Ｃ２及び上部デッキ部材Ｐａと下部デッキ部材Ｐｂの中央桁嵌合部７同士を連結する中央部連結桁部材Ｃ３について説明するが、上記の隅部連結桁部材Ｃ１、中間部連結桁部材Ｃ２及び中央部連結桁部材Ｃ３の基本的な構成は同じであるので、以下においては、図８〜図１１を用いて、隅部連結桁部材Ｃ１を例に、その構成について説明する。
【００２６】
隅部連結桁部材Ｃ１は、その上下端部が、上述した隅桁嵌合部５の外周壁５ａと外周壁５ａから所定の間隙を置いて配設された周辺板部材Ｈ２との間に形成された間隙に嵌合可能な略角筒状の筒部ｃ１と、筒部ｃ１を構成する一方の相対する側壁ｃ１ａと略平行で、且つ、その中間に配設された仕切り壁ｃ２とを有しており、仕切り壁ｃ２は、もう一方の相対する側壁ｃ１ｂを架橋するとともに、筒部ｃ１の下端から上端まで延在している。この仕切り壁ｃ２により、隅部連結部材Ｃ１は、２つの空間領域Ａ１、Ａ２に分けられている。この仕切り壁ｃ２は、上部デッキ部材Ｐａの隅桁嵌合部５と下部デッキ部材Ｐｂの隅桁嵌合部５とを、隅部連結桁部材Ｃ１により連結した際には、隅桁嵌合部５に配設された保持部材Ｈ１を構成する一対の垂直板材ｈ１間に形成された間隙に挿入されるように構成されている。
【００２７】
隅部連結桁部材Ｃ１の筒部ｃ１の一方の相対する側壁ｃ１ａと仕切り壁ｃ２とは、筒部ｃ１の上下端まで延在する係止雄壁部材ｃ３により連結されている。本実施例においては、仕切り壁ｃ２を挟んで位置する空間領域Ａ１、Ａ２には、上述した隅桁嵌合部５に形成された中間係止雌部材Ｇｃ、中間係止雌部材側の端部係止雌部材Ｇｅ１及び端部係止雌部材Ｇｅ２に対応して．それぞれ３個の係止雄壁部材ｃ３が形成されている。
【００２８】
隅部連結桁部材Ｃ１の係止雄壁部材ｃ３は、筒部ｃ１の相対する側壁ｃ１ｂに略平行な中部壁部ｃ３ａと、中部壁部ｃ３ａの上部に形成された上部雄部ｃ３ｂと、中部壁部ｃ３ａの下部に形成された下部雄部ｃ３ｃとを有しており、中部壁部ｃ３ａと上部雄部ｃ３ｂとは、上部傾斜部ｃ３ｄにより連結されており、また、中部壁部ｃ３ａと下部雄部ｃ３ｃとは、下部傾斜部ｃ３ｅにより連結されている。そして、上部傾斜部ｃ３ｄと下部傾斜部ｃ３ｅには、上述した係止部材Ｇ（中間係止雌部材Ｇｃ、中間係止雌部材側の端部係止雌部材Ｇｅ１、端部係止雌部材Ｇｅ２）の垂直板材ｇ１の幅より、若干、広く、且つ、垂直板材ｇ１の係止爪ｇ２が挿入可能な奥行きを有する係止スリットｃ３ｄ’、ｃ３ｅ’が、それぞれ穿設されている。
【００２９】
仕切り壁ｃ２を挟んで位置する空間領域Ａ１、Ａ２に、それぞれ配設された３個ずつの係止雄壁部材ｃ３を構成する上部雄部ｃ３ｂ同士及び下部雄部ｃ３ｃ同士の間隔は、図９及び図１０に示されているように、等間隔に配設されていない。即ち、中間に位置する上部雄部ｃ３ｂ（以下、中間上部雄部と称し、符号ｃ３ｂ１を付す。）は、両側に位置する上部雄部ｃ３ｂのうち、一方の上部雄部ｃ３ｂに、より近づいて配置されている。以下、便宜的に、端部に位置する上部雄部ｃ３ｂのうち、中間上部雄部ｃ３ｂ１に、より近づいて配置された上部雄部ｃ３ｂを、中間上部雄部側の端部上部雄部と称し、符号ｃ３ｂ２を付し、中間上部雄部ｃ３ｂ１に対して、より遠い位置にある上部雄部ｃ３ｂを、単に、端部上部雄部と称し、符号ｃ３ｂ３を付す。同様に、中間に位置する下部雄部ｃ３ｃ（以下、中間下部雄部と称し、符号ｃ３ｃ１を付す。）は、両側に位置する下部雄部ｃ３ｃのうち、一方の下部雄部ｃ３ｃに、より近づいて配置されている。以下、便宜的に、端部に位置する下部雄部ｃ３ｃのうち、中間下部雄部ｃ３ｃ１に、より近づいて配置された下部雄部ｃ３ｃを、中間下部雄部側の端部下部雄部と称し、符号ｃ３ｃ２を付し、中間下部雄部ｃ３ｃ１に対して、より遠い位置にある下部雄部ｃ３ｃを、単に、端部ｃ部雄部と称し、符号ｃ３ｃ３を付す。
【００３０】
隅部連結桁部材Ｃ１の一方の空間領域Ａ１に配設された、中間上部雄部ｃ３ｂ１、中間上部雄部側の端部上部雄部ｃ３ｂ２及び端部上部雄部ｃ３ｂ３の配置は、隅部連結桁部材Ｃ１のもう一方の空間領域Ａ２に配設された、中間上部雄部ｃ３ｂ１、中間上部雄部側の端部上部雄部ｃ３ｂ２及び端部上部雄部ｃ３ｂ３の配置とは、平面的に見て、隅部連結桁部材Ｃ１の中心点に対して、点対称になるように構成されている。同様に、隅部連結桁部材Ｃ１の一方の空間領域Ａ１に配設された、中間下部雄部ｃ３ｃ１、中間下部雄部側の端部下部雄部ｃ３ｃ２及び端部下部雄部ｃ３ｃ３の配置は、隅部連結桁部材Ｃ１のもう一方の空間領域Ａ２に配設された、中間下部雄部ｃ３ｃ１、中間下部雄部側の端部下部雄部ｃ３ｃ２及び端部下部雄部ｃ３ｃ３の配置とは、平面的に見て、隅部連結桁部材Ｃ１の中心点に対して、点対称になるように構成されている。
【００３１】
また、隅部連結桁部材Ｃ１の筒部ｃ１の相対する側壁ｃ１ｂの一方の上部には、上述した上部デッキ部材Ｐａの隅桁嵌合部５に形成された位置決め挿入片Ｔ１が挿入可能な上部スリットＳ１が形成されており、また、隅部連結桁部材Ｃ１の筒部ｃ１の相対する側壁ｃ１ｂのもう一方の下部には、上述した下部デッキ部材Ｐｂの隅桁嵌合部５に形成された位置決め挿入片Ｔ１が挿入可能な下部スリットＳ２が形成されている。
【００３２】
また、隅部連結桁部材Ｃ１のもう一方の空間領域Ａ２に配設された、仕切り壁ｃ２と一方の相対する側壁ｃ１ａを連結する係止雄壁部材ｃ３の上部雄部ｃ３ｂと下部雄部ｃ３ｃ及び隅部連結桁部材Ｃ１の仕切り壁ｃ２と略直交する相対する側壁ｃ１ｂの上下端部には、上述した隅桁嵌合部５を構成する外周壁５ａのもう一方の相対する側壁５ａ２を連結する補強リブ９が挿入可能なスリットＳ３が形成されている。更に、隅部連結桁部材Ｃ１の筒部ｃ１を構成する一方の相対する側壁ｃ１ａ、即ち、隅部連結桁部材Ｃ１の仕切り壁ｃ２と略平行な相対する側壁ｃ１ａの上下端部及び仕切り壁ｃ２の上下端部には、上述した隅桁嵌合部５を構成する外周壁５ａの一方の相対する側壁５ａ１を連結する補強リブ８が挿入可能なスリットＳ４が形成されている。
【００３３】
上述した中間部連結桁部材Ｃ２は、上述した上部スリットＳ１及び下部スリットＳ２が形成されていない以外は、隅部連結桁部材Ｃ１と実質的に同じ構成を有している。また、中央部連結桁部材Ｃ３には、図１２に示されているように、中央部連結部材Ｃ３の筒部ｃ１の所定の１つの側壁ｃ１ｂに、上部スリットＳ１と下部スリットＳ２が形成されており、上部スリットＳ１は、一方の領域Ａ２側に位置する側壁ｃ１ｂの上部に形成されており、また、下部スリットＳ２は、もう一方の領域Ａ１側に位置する側壁ｃ１ｂの下部に形成されている。上部スリットＳ１と下部スリットＳ２の配置以外の中央部連結桁部材Ｃ３の構成は、隅部連結桁部材Ｃ１と実質的に同じ構成を有している。
【００３４】
次に、図１１及び図１３〜図１６を用いて、上部デッキ部材Ｐａと下部デッキ部材Ｐｂとを、隅部連結桁部材Ｃ１、中間部連結桁部材Ｃ２及び中央部連結桁部材Ｃ３を用いて組み立てるパレット組立工程について説明する。
【００３５】
図１１や図１２等に示されているように、上下部デッキ部材Ｐａ、Ｐｂの各桁嵌合部５、６、７に配設された係止雌部材Ｇの一対の垂直板材ｇ１間に形成された楔状空間部ｇ４と、隅部連結桁部材Ｃ１と中間部連結桁部材Ｃ２と中央部連結桁部材Ｃ３とからなる連結桁部材Ｃを構成する係止雄壁部材ｃ３の上部雄部ｃ３ｂ或いは下部雄部ｃ３ｃとを、対向するように配置し、その後、係止雌部材Ｇと連結桁部材Ｃとを接近させて、係止雌部材Ｇの一対の垂直板材ｇ１間に形成された楔状空間部ｇ４に、傾斜面ｇ３に沿って、連結桁部材Ｃを構成する係止雄壁部材ｃ３の上部雄部ｃ３ｂ或いは下部雄部ｃ３ｃを嵌入するとともに、図１４に示されているように、連結桁部材Ｃの上部傾斜部ｃ３ｄ或いは下部傾斜部ｃ３ｅに形成された係止スリットｃ３ｄ’、ｃ３ｅ’に、係止雌部材Ｇの係止爪ｇ２の一部を挿入し、係止爪ｇ２を、上部雄部ｃ３ｂ或いは下部雄部ｃ３ｃの係止スリットｃ３ｄ’、ｃ３ｅ’との対向端面ｃ３ｃ’、ｃ３ｃ”に係止させることにより、各桁嵌合部５、６、７を構成する係止雌部材Ｇと、連結桁部材Ｃ（隅部連結桁部材Ｃ１、中間部連結桁部材Ｃ２、中央部連結桁部材Ｃ３）を構成する係止雄壁部材ｃ３とを連結する。上記のように、係止雌部材Ｇの一対の垂直板材ｇ１間に形成された間隙に、この間隙より肉厚の、連結桁部材Ｃを構成する係止雄壁部材ｃ３の上部雄部ｃ３ｂ或いは下部雄部ｃ３ｃを嵌入することになるが、この嵌入作業の際には、係止雌部材Ｇの一対の垂直板材ｇ１が、その弾性力により、外側に拡張し、上記のように、係止雌部材Ｇの係止爪ｇ２が、上部雄部ｃ３ｂ或いは下部雄部ｃ３ｃの係止スリットｃ３ｄ’、ｃ３ｅ’との対向端面ｃ３ｃ’、ｃ３ｃ”に係止した時点で、垂直板材ｇ１が、略垂直な元の状態に戻るように構成されている。
【００３６】
上述したように、上部デッキ部材Ｐａと下部デッキ部材Ｐｂに形成された隅桁嵌合部５、中間桁嵌合部６及び中央桁嵌合部７を構成する係止雌部材Ｇと、隅部連結桁部材Ｃ１、中間部連結桁部材Ｃ２及び中央部連結桁部材Ｃ３とを連結した際には、隅部連結桁部材Ｃ１、中間部連結桁部材Ｃ２及び中央部連結桁部材Ｃ３の仕切り壁ｃ２は、隅桁嵌合部５、中間桁嵌合部６及び中央桁嵌合部７に配設された保持部材Ｈ１の一対の垂直板材ｈ１間に形成された間隙に挿入されるとともに、隅部連結桁部材Ｃ１、中間部連結桁部材Ｃ２及び中央部連結桁部材Ｃ３の筒部ｃ１の上下端部は、隅桁嵌合部５の外周壁５ａと周辺板部材Ｈ２との間に形成された間隙、中間桁嵌合部６の外周壁６ａと周辺板部材Ｈ２との間に形成された間隙及び中央桁嵌合部７の外周壁７ａと周辺板部材Ｈ２との間に形成された間隙に、それぞれ挿入されるように構成されている。
【００３７】
また、上下部デッキ部材Ｐａ、Ｐｂに配設された隅桁嵌合部５及び中央桁嵌合部７に位置決め挿入片Ｔ１、Ｔ２を形成するとともに、パレットの組立作業の際に、位置決め挿入片Ｔ１、Ｔ２が、隅部連結桁部材Ｃ１及び中央部連結桁部材Ｃ３の筒部ｃ１に形成された上部スリットＳ１及び下部スリットＳ２に挿入するように構成されているので、上下部デッキ部材Ｐａ、Ｐｂに配設された隅桁嵌合部５に嵌合される隅部連結桁部材Ｃ１の嵌合位置を間違うようなことがなく、また、上下部デッキ部材Ｐａ、Ｐｂに配設された隅桁嵌合部５に、誤って、中間部連結桁部材Ｃ２や中央部連結桁部材Ｃ３が嵌合されるようなことがない。また、同様に、上下部デッキ部材Ｐａ、Ｐｂに配設された中央桁嵌合部７に嵌合される中央部連結桁部材Ｃ３の嵌合位置を間違うようなことがなく、また、上下部デッキ部材Ｐａ、Ｐｂに配設された中央桁嵌合部７に、誤って、隅部連結桁部材Ｃ１や中間部連結桁部材Ｃ２が嵌合されるようなことがない。更には、上下部デッキ部材Ｐａ、Ｐｂに配設された中間桁嵌合部６に、誤って、隅部連結桁部材Ｃ１や中央部連結桁部材Ｃ３が嵌合されるようなことがない。
【００３８】
更に、連結桁部材Ｃ（隅部連結桁部材Ｃ１、中間部連結桁部材Ｃ２、中央部連結桁部材Ｃ３）の仕切り壁ｃ２と、一方の相対する側壁ｃ１ａを連結する係止雄壁部材ｃ３の上部雄部ｃ３ｂと下部雄部ｃ３ｃ及び隅桁嵌合部５や中間桁嵌合部６や中央桁嵌合部７の相対する側壁ｃ１ｂの上下端部に形成されたスリットＳ３には、隅桁嵌合部５や中間桁嵌合部６や中央桁嵌合部７を構成する外周壁５ａ、６ａ、７ａの相対する側壁５ａ２、６ａ２、７ａ２を連結する補強リブ９が挿入されるように構成されている。同様に、連結桁部材Ｃ（隅部連結桁部材Ｃ１、中間部連結桁部材Ｃ２、中央部連結桁部材Ｃ３）の筒部ｃ１を構成する相対する側壁ｃ１ａ、即ち、連結桁部材Ｃの仕切り壁ｃ２と略平行な相対する側壁ｃ１ａの上下端部及び仕切り壁ｃ２の上下端部に形成されたにスリットＳ４には、隅桁嵌合部５や中間桁嵌合部６や中央桁嵌合部７を構成する外周壁５ａ、６ａ、７ａの相対する側壁５ａ１、６ａ１、７ａ１を連結する補強リブ８が挿入されるように構成されている。
【００３９】
上述したようにして、隅部連結部材Ｃ１、中間部連結部材Ｃ２及び中央部連結部材Ｃ３を介して、上部デッキ部材Ｐａと下部デッキ部材Ｐｂとが連結されて、図１６に示されているように、パレットＰが組み立てられることになる。
【００４０】
上述したように、上下部デッキ部材Ｐａ、Ｐｂに形成された嵌合部（隅桁嵌合部５、中間桁嵌合部６及び中央桁嵌合部７）を構成する外周壁５ａ、６ａ、７ａの相対する側壁を連結する補強リブ８、９を形成したので、嵌合部の強度や剛性を高めることができ、ひいては、組み立てられたパレットＰ、特に、パレットＰの桁部（隅桁、中間桁、中央桁）の強度や剛性を高めることできる。
【００４１】
また、パレットが組み立てられた状態においては、上下部デッキ部材Ｐａ、Ｐｂの各桁嵌合部５、６、７に配設された係止雌部材Ｇの一対の垂直板材ｇ１間に、連結桁部材Ｃの係止雄壁部材ｃ３を構成する上部雄部ｃ３ｂ或いは下部雄部ｃ３ｃが嵌入されているとともに、垂直板材ｇ１に形成された係止爪ｇ２が、連結桁部材Ｃの上部雄部ｃ３ｂ或いは下部雄部ｃ３ｃの係止スリットｃ３ｄ’、ｃ３ｅ’との対向端面ｃ３ｃ’、ｃ３ｃ”に係止されているので、上下部デッキ部材Ｐａ、Ｐｂに対して、連結桁部材Ｃが、ガタついたり、水平移動するようなことがなく、従って、垂直板材ｇ１に形成された係止爪ｇ２と、連結桁部材Ｃの上部雄部ｃ３ｂ或いは下部雄部ｃ３ｃの係止スリットｃ３ｄ’、ｃ３ｅ’との対向端面ｃ３ｃ’、ｃ３ｃ”との係止状態が解除されるようなことが、確実に防止できる。
【００４２】
更に、パレットが組み立てられた状態においては、隅部連結桁部材Ｃ１、中間部連結桁部材Ｃ２及び中央部連結桁部材Ｃ３の仕切り壁ｃ２が、隅桁嵌合部５、中間桁嵌合部６及び中央桁嵌合部７に配設された保持部材Ｈ１の一対の垂直板材ｈ１間に形成された間隙に挿入されているので、上下部デッキ部材Ｐａ、Ｐｂに対して、連結桁部材Ｃが、ガタついたり、水平移動するようなことを、より確実に防止することができ、ひいては、垂直板材ｇ１に形成された係止爪ｇ２と、連結桁部材Ｃの上部雄部ｃ３ｂ或いは下部雄部ｃ３ｃの係止スリットｃ３ｄ’、ｃ３ｅ’との対向端面ｃ３ｃ’、ｃ３ｃ”との係止状態が解除されるようなことが、より確実に防止できる。
【００４３】
更にまた、隅部連結桁部材Ｃ１、中間部連結桁部材Ｃ２及び中央部連結桁部材Ｃ３の筒部ｃ１が、隅桁嵌合部５の外周壁５ａと周辺板部材Ｈ２との間に形成された間隙、中間桁嵌合部６の外周壁６ａと周辺板部材Ｈ２との間に形成された間隙及び中央桁嵌合部７の外周壁７ａと周辺板部材Ｈ２との間に形成された間隙に、それぞれ挿入されるように構成されているので、上下部デッキ部材Ｐａ、Ｐｂに対して、連結桁部材Ｃが、ガタついたり、水平移動するようなことを、更に確実に防止することができ、ひいては、垂直板材ｇ１に形成された係止爪ｇ２と、連結桁部材Ｃの上部雄部ｃ３ｂ或いは下部雄部ｃ３ｃの係止スリットｃ３ｄ’、ｃ３ｅ’との対向端面ｃ３ｃ’、ｃ３ｃ”との係止状態が解除されるようなことが、更に確実に防止できる。
【００４４】
【発明の効果】
本発明は、以上説明した構成を有しているので、以下に記載する効果を奏するものである。
【００４５】
上部デッキ部材と下部デッキ部材の桁嵌合部に、該桁嵌合部の外周壁を構成する相対する側壁を連結する補強リブを形成したので、嵌合部の強度や剛性を高めることができ、ひいては、組み立てられたパレット、特に、パレットの桁部の強度や剛性を高めることできる。
【図面の簡単な説明】
【図１】図１は本発明のパレットの分解斜視図である。
【図２】図２は本発明のパレットの上部デッキ部材の裏面斜視図である。
【図３】図３は本発明のパレットの下部デッキ部材の斜視図である。
【図４】図４は本発明のパレットを構成する下部デッキ部材の隅桁嵌合部等の斜視図である。
【図５】図５は本発明のパレットを構成する下部デッキ部材の隅桁嵌合部等の平面図である。
【図６】図６は本発明のパレットを構成する桁嵌合部に配設された係止雌部材の斜視図である。
【図７】図７は本発明のパレットを構成する隅桁嵌合部や中間桁嵌合部や中央桁嵌合部等の斜視図である。
【図８】図８は本発明のパレットを構成する隅部連結桁部材の斜視図である。
【図９】図９は図８におけるＩ−Ｉ線に沿った側断面図である。
【図１０】図１０は図８におけるＩＩ−ＩＩ線に沿った側断面図である。
【図１１】図１１は本発明のパレットの連結桁部材を構成する係止雄壁部材と桁嵌合部を構成する係止雌部材の嵌入前の部分拡大斜視図である。
【図１２】図１２は本発明のパレットを構成する中央部連結桁部材の斜視図である。
【図１３】図１３は本発明のパレットの隅部連結桁部材と隅桁嵌合部との連結前の部分拡大斜視図である。
【図１４】図１４は本発明のパレットの連結桁部材を構成する係止雄壁部材と桁嵌合部を構成する係止雌部材との嵌入状態の部分拡大斜視図である。
【図１５】図１５は本発明のパレットの桁嵌合部及び連結桁部材を含む部分拡大断面図である。
【図１６】図１６は本発明のパレットの組立状態の全体斜視図である。
【符号の説明】
Ｃ・・・・・・・・・・・・・・・・連結桁部材
ｃ３・・・・・・・・・・・・・・・係止雄壁部材
Ｇ・・・・・・・・・・・・・・・・係止雌部材
Ｈ１・・・・・・・・・・・・・・・保持部材
Ｈ２・・・・・・・・・・・・・・・周辺板部材
Ｐａ・・・・・・・・・・・・・・・上部デッキ部材
Ｐｂ・・・・・・・・・・・・・・・下部デッキ部材
５・・・・・・・・・・・・・・・・隅桁嵌合部
６・・・・・・・・・・・・・・・・中間桁嵌合部
７・・・・・・・・・・・・・・・・中央桁嵌合部
８、９・・・・・・・・・・・・・・補強リブ
【図１】
2004331197.tif 000003
【図２】
2004331197.tif 000004
【図３】
2004331197.tif 000005
【図４】
2004331197.tif 000006
【図５】
2004331197.tif 000007
【図６】
2004331197.tif 000008
【図７】
2004331197.tif 000009
【図８】
2004331197.tif 000010
【図９】
2004331197.tif 000011
【図１０】
2004331197.tif 000012
【図１１】
2004331197.tif 000013
【図１２】
2004331197.tif 000014
【図１３】
2004331197.tif 000015
【図１４】
2004331197.tif 000016
【図１５】
2004331197.tif 000017
【図１６】
2004331197.tif 000018